(57)【要約】  Ｘ２インターフェースを設定するための方法及び装置が提供される。前記方法は、第１基地局が前記第１基地局のセルで支援するＣＳＧの接続モード情報を含むＸ２インターフェース設定要請メッセージを第２基地局に送信する過程と、前記第２基地局が前記第２基地局のセルで支援するＣＳＧの接続モード情報を含むＸ２インターフェース応答メッセージを前記第１基地局に送信する過程を含む。
2013526207.tif 000002
【特許請求の範囲】
【請求項１】
移動通信システムにおけるＸ２インターフェースの設定方法において、
第１基地局が、前記第１基地局のセルで支援するＣＳＧの接続モード情報を含むＸ２インターフェース設定要請メッセージを第２基地局に送信する過程と、
前記第２基地局が、前記第２基地局のセルで支援するＣＳＧの接続モード情報を含むＸ２インターフェース応答メッセージを前記第１基地局に送信する過程と、を含むことを特徴とする方法。
【請求項２】
前記Ｘ２インターフェース設定要請メッセージは、前記第１基地局のセルで支援されるＣＳＧ  ＩＤを含むことを特徴とする請求項１に記載の方法。
【請求項３】
前記Ｘ２インターフェース応答メッセージは、前記第２基地局のセルで支援されるＣＳＧ  ＩＤを含むことを特徴とする請求項１に記載の方法。
【請求項４】
請求項１乃至請求項３のうちいずれか一つの方法を実施するように構成された基地局装置。
【請求項５】
無線通信システムにおけるセルスイッチング方法において、
ソース基地局がターゲット基地局の接続モード情報に従って前記ＵＥのハンドオーバに対する許可可否を判断する過程と、
前記ソース基地局が前記ＵＥのグループメンバー状態指示子を含むハンドオーバ要請を前記ターゲット基地局に送信する過程と、
前記ターゲット基地局がハンドオーバ要請応答を前記ソース基地局に送信する過程と、を含むことを特徴とする方法。
【請求項６】
前記ＵＥによって送信された前記ターゲット基地局の識別情報を含む測定報告メッセージを受信する過程を更に含むことを特徴とする請求項５に記載の方法。
【請求項７】
前記ハンドオーバ要請を送信する前に、前記ソース基地局が前記接続要請をＭＭＥに送信する過程と、
前記ソース基地局が前記ＭＭＥから接続応答を受信する過程と、を更に含み、
前記接続応答は、前記ＵＥが接続を許可されたのか否かを示す指示子を含むか、又は、前記ＵＥが接続を許可されたことを示す指示子及び前記ＵＥが複合セルに属するのか否かを示すグループメンバー状態指示子を含むことを特徴とする請求項５に記載の方法。
【請求項８】
前記ターゲットセルが複合モードを含むと、前記ハンドオーバ要請は前記グループメンバー状態指示子を含むことを特徴とする請求項７に記載の方法。
【請求項９】
前記ターゲットセルがＣＳＧセルを含むと、前記接続応答は前記ＵＥが接続を許可されたのか否かを示す指示子を含むことを特徴とする請求項７に記載の方法。
【請求項１０】
前記ターゲットセルがＣＳＧセルを含むと、前記接続応答は、成功応答である場合前記ＵＥが接続を許可されたことを示す指示子を、失敗応答である場合前記ＵＥが接続を許可されなかったことを示す指示子を含むことを特徴とする請求項７に記載の方法。
【請求項１１】
前記ハンドオーバ要請応答メッセージを送信する前に、ターゲットセルがＣＳＧセルを含むと前記ソース基地局が接続要請をＭＭＥに送信する過程と、
前記ＭＭＥが、前記ＭＭＥから前記ＵＥが接続を許可されたのか否かを示す指示子を含む接続応答を受信する過程と、を更に含むことを特徴とする請求項５に記載の方法。
【請求項１２】
請求項５乃至請求項１１のうちいずれか一つの方法を実施するように構成された基地局装置。
【請求項１３】
移動通信システムにおける基地局の動作方法において、
ソース基地局からＵＥが報告したターゲットセルで支援されるＣＳＧ  ＩＤを含むハンドオーバ要請メッセージを受信する過程と、
接続要請を送信する前に、ターゲット基地局のセルで支援される支援されるＣＳＧ  ＩＤ及び前記ハンドオーバ要請メッセージによって伝達されたＣＳＧ  ＩＤが同じであるのかを判断する過程と、
前記通信部は、２つのＣＳＧ  ＩＤが同じであると前記接続要請メッセージをＭＭＥに送信し、前記２つのＣＳＧ  ＩＤが同じではないとハンドオーバ失敗メッセージを前記ソース基地局に送信することを特徴とする装置。
【請求項１４】
移動通信システムにおける基地局装置において、
ソース基地局からＵＥが報告したターゲットセルで支援されるＣＳＧ  ＩＤを含むハンドオーバ要請メッセージを受信する通信部と、
接続要請を送信する前に、ターゲット基地局のセルで支援される支援されるＣＳＧ  ＩＤ及び前記ハンドオーバ要請メッセージによって伝達されたＣＳＧ  ＩＤが同じであるのかを判断する制御部と、を含み、
前記通信部は、２つのＣＳＧ  ＩＤが同じであると前記接続要請メッセージをＭＭＥに送信し、前記２つのＣＳＧ  ＩＤが同じではないとハンドオーバ失敗メッセージを前記ソース基地局に送信することを特徴とする装置。
【発明の詳細な説明】
【技術分野】
【０００１】
本発明は移動通信システムに関するものである。特に、本発明は移動通信システムにおけるＸ２インターフェース（Ｘ２  ｉｎｔｅｒｆａｃｅ）設定及びセルスイッチング（ｃｅｌｌ  ｓｗｉｔｃｈｉｎｇ）のための装置及びその方法に関するものである。
【背景技術】
【０００２】
移動通信技術の発展に伴って、ＳＡＥ（Ｓｙｓｔｅｍ  Ａｒｃｈｉｔｅｃｔｕｒｅ  Ｅｖｏｌｕｔｉｏｎ）システムが広く使用されている。詳しくは、前記ＳＡＥシステムは主にＥ−ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）及びコア網（ｃｏｒｅ  ｎｅｔｗｏｒｋ）を主に含む。
【０００３】
図１は、ＳＡＥシステムの概略的な構造を示す図である。ＳＡＥシステムの基地局はＥ−ＵＴＲＡＮ１１０に属し、ＵＥ（Ｕｓｅｒ  Ｅｑｕｉｐｍｅｎｔ）にＳＡＥシステムに接続するための無線インターフェースを提供する。ＭＭＥ（Ｍｏｂｉｌｅ  Ｍａｎａｇｅｍｅｎｔ  Ｅｎｔｉｔｙ）及び使用者プレーンエンティティ（ｕｓｅｒ  ｐｌａｎｅ  ｅｎｔｉｔｙ）１５０はコア網に属し、Ｓ１インターフェースを介して前記ＳＡＥシステムに属した前記基地局と連結される。前記使用者プレーンエンティティはＳ−ＧＷ（Ｓｅｒｖｉｎｇ  ＧａｔｅＷａｙ）と称され得る。ここで、前記ＭＭＥ及び前記Ｓ−ＧＷは同じ物理的客体で構成されてもよい。図１は、前記ＭＭＥ及び前記Ｓ−ＧＷがＭＭＥ／Ｓ−ＧＷ１５０として同じ物理的客体に位置した例を示している。詳しくは、前記ＭＭＥはモセッションコンテキスト（ｓｅｓｓｉｏｎ  ｃｏｎｔｅｘｔ）及び前記ＵＥの移動コンテキスト（ｍｏｂｉｌｅ  ｃｏｎｔｅｘｔ）を管理し、使用者の保安関連情報（ｓｅｃｕｒｉｔｙ−ｒｅａｌｔｅｄ−ｉｎｆｏｒｍａｔｉｏｎ）を貯蔵しており、前記Ｓ−ＧＷは使用者プレーン機能を提供する。
【０００４】
前記図１において、前記ＳＡＥシステム内の前記基地局はホーム（ｈｏｍｅ）基地局１３０及び通常のマクロ（ｍａｃｒｏ）基地局１２０を含む。前記ホーム基地局１３０は、ＨｅＮＢ（Ｈｏｍｅ  ｅｎｈａｎｃｅｄ  Ｎｏｄｅ  Ｂ）又はＨＮＢ（Ｈｏｍｅ  ＮｏｄｅＢ）と称されてもよく、前記マクロ基地局１２０はｅＮＢ（ｅｎｈａｎｃｅｄ  Ｎｏｄｅ  Ｂ）と称されてもよい。詳しくは、前記ホーム基地局１３０は家庭で使用されてもよく、会社、大学などの場所に適用されてもよく、プラグアンドプレイ（ｐｌｕｇ−ａｎｄ−ｐｌａｙ）の形で動作してもよい。詳しくは、前記ＨｅＮＢはＬＴＥ（Ｌｏｎｇ  Ｔｅｒｍ  Ｅｖｏｌｕｔｉｏｎ）システムに適用可能なホーム基地局であり、Ｓ１インターフェースを介してホーム基地局ゲートウェイ１４０と連結され、前記ホーム基地局ゲートウェイ１４０はＳ１インターフェースを介して前記ＭＭＥ／Ｓ−ＧＷ１５０と連結される。前記ＨｅＮＢはまた、基地局のゲートウェイなしに前記ＭＭＥ／Ｓ−ＧＷ１５０と直接連結され得る。前記ＨＮＢはＵＭＴＳシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）に適用し得るホーム基地局であり、ｌｕｈインターフェースを介して基地局のゲートウェイと連結され、前記基地局のゲートウェイはｌｕｈインターフェースを介してＳＧＳＮ（Ｓｅｒｖｉｎｇ  ＧＰＲＳ  Ｓｕｐｐｏｒｔ  Ｎｏｄｅ）と連結される。一般に、前記ホーム基地局１３０は、接続された端末に対して制限を有する。例えば、一般のマクロ基地局１２０とは異なって、前記ホーム基地局１３０に接続し得る権限を有する端末のみが前記ホーム基地局１３０に接続し得る。例えば、使用者の家族の場合、使用者の家族のメンバー又は家族によって許可された他のメンバーのみ前記家族のホーム基地局１３０に接続し得る。会社の場合、会社の職員及び会社によって許可された協力会社のみ接続し得る。
【０００５】
一般に、同じ接続使用者グループを有するホーム基地局のグループ（例：同じ会社のために使用されるホーム基地局）は、ＣＳＧ（Ｃｌｏｓｅｄ  Ｓｕｂｓｃｒｉｂｅｒ  Ｇｒｏｕｐ）と呼ばれる。各ＣＳＧはＣＳＧ  ＩＤ（ｉｄｅｎｔｉｆｉｅｒ）という固有の識別子を有し、前記ＣＳＧ  ＩＤは前記ホーム基地局の放送情報としてブロードキャストされる。従来技術によると、前記ホーム基地局が広いカバレッジ（ｃｏｖｅｒａｇｅ）を提供するために、３つの接続モード（閉鎖モード（ｃｌｏｓｅｄ  ｍｏｄｅ）、複合モード（ｈｙｂｒｉｄ  ｍｏｄｅ）、開放モード（ｏｐｅｎ  ｍｏｄｅ））がホーム基地局セルのために定義される。前記３つの接続モードそれぞれは以下のようである。
【０００６】
ホーム基地局セルの接続モードが閉鎖モード（Ｃｌｏｓｅｄ  ｍｏｄｅ）である場合、ひとえに特定使用者（例：運営者に加入（ｓｕｂｓｃｒｉｐｔｉｏｎ）された使用者）のみが前記ホーム基地局のセルに接続し得る。支援されるＣＳＧ  ＩＤは前記ホーム基地局のセルでブロードキャストされる。一般に、前記ＣＳＧ  ＩＤがブロードキャストされて接続モードが閉鎖モード（Ｃｌｏｓｅｄ  ｍｏｄｅ）である前記ホーム基地局のセルはＣＳＧセルと称され得る。即ち、前記ＣＳＧセルはＣＳＧ機能を支援する閉鎖モード（Ｃｌｏｓｅｄ  ｍｏｄｅ）セルを意味する。もし、ホーム基地局のセルの接続モードが複合モードであれば、前記セルは複合セルと称され得る。前記複合セルで支援されるＣＳＧ  ＩＤもまたブロードキャストされなければならない。いかなる使用者も前記複合セルに接続し得る。しかし、前記複合セルによって支援されるＣＳＧに属したメンバー（例：運営者に加入された使用者）はより良いサービスを得ることができる。即ち、前記複合セルが制限された資源を有する状況において、前記ホーム基地局に属しないメンバーが先に他のセルにスイッチングするか、低いＱｏＳ（Ｑｕａｌｉｔｙ  ｏｆ  Ｓｅｒｖｉｃｅ）のサービスを提供される。もし、ホーム基地局の接続モードが開放モードである場合、前記ホーム基地局はマクロ基地局を同じである。即ち、いかなる使用者の接続も許容される。また、前記ホーム基地局のセルにＣＳＧ  ＩＤは割り当てられず、ＣＳＧ  ＩＤがブロードキャストされない。前記開放モードのホーム基地局のセルは通常のマクロ基地局と異なるものではなく、開放セルと称され得る。
【０００７】
一般に、ＵＥの接続が許可されたＣＳＧ  ＩＤのリストは前記ＵＥ及び前記ＭＭＥ全てに貯蔵される。例えば、前記リストは加入情報などのリストを含んでもよい。使用者がホーム基地局のセルに接続する場合、前記ＵＥ及び前記ＭＭＥは接続制御（ａｃｃｅｓｓ  ｃｏｎｔｒｏｌ）を行う。即ち、前記使用者が接続するターゲットホーム基地局のセルの接続モードが閉鎖モードと決定されると、前記使用者が接続許可されたＣＳＧ  ＩＤのリストに前記ホーム基地局のセルによって支援されるＣＳＧが含まれる場合に限って、前記使用者が接続を許可され得る。もし、前記ホーム基地局のセルの接続モードが複合モードである場合、使用者は接続を許可されて前記使用者が接続許可されたＣＳＧ  ＩＤのリストに前記ホーム基地局のセルによって支援されるＣＳＧが含まれる場合、前記使用者が前記ホーム基地局のメンバーとして決定され、使用者は接続を許可されて前記使用者は前記ホーム基地局のメンバーではないと決定される。
【０００８】
一般に、ＵＥがホーム基地局から他の基地局に移動する状況、詳しくは、ＵＥが同じＣＳＧに属した多数のホーム基地局の間を利用する状況が頻繁に発生する。上記のような状況において、Ｓ１インターフェースに基づいたハンドオーバ（以下、「Ｓ１ハンドオーバ」と称する）及びＸ２インターフェースに基づいたハンドオーバ（以下、「Ｘ２ハンドオーバ」と称する）が一般に行われる。詳しくは、前記Ｘ２ハンドオーバと比べると、前記Ｓ１ハンドオーバは見つけたシグナリング及びコア網の活用を必要とする短所がある。前記Ｘ２ハンドオーバの手順を概略に調べると以下のようである。連結モードのＵＥがｅＮＢ１からｅＮＢ２に移動した場合、前記２つのｅＮＢの間のＸ２位インターフェースが存在すると前記ｅＮＢ１は前記ｅＮＢ２にメッセージを送信し、前記ｅＮＢ２は資源を準備した後、前記ｅＮＢ１は前記ＵＥにターゲットセルの新たな構成を通知した後、前記ＵＥは前記ターゲットセルと同期化してそれを通知するメッセージを送信する。前記ターゲットセルに位置した基地局、即ち、前記ｅＮＢ２は前記ＵＥから通知を受けた後ＭＭＥにメッセージを送り、それによって前記ＭＭＥはソースセルからターゲットセルにダウンリンクデータトンネルをスイッチングする。
【０００９】
従来のＸ２インターフェースハンドオーバ手順はマクロ基地局に対して最適化されている。その理由は、従来のシステム構造、例えば、前記図１に示した構造のように、マクロ基地局間のＸ２インターフェースが存在し、ホーム基地局間のＸ２インターフェースが存在しないためである。従って、ＵＥはホーム基地局間を移動することができない。
【発明の概要】
【課題を解決するための手段】
【００１０】
本発明は、上述した問題点及び不利益を解消し、以下のような長所を提供する。本発明の目的は、移動通信接続システムにおけるホーム基地局間のハンドオーバを行うための装置及びその方法を提供することにある。
【００１１】
本発明の他の目的は、移動通信接続システムにおけるホーム基地局間のＸ２インターフェースを利用したハンドオーバを行うための装置及びその方法を提供することにある。
【００１２】
本発明のまた他の目的は、移動通信接続システムにおけるホーム基地局間のＸ２インターフェースを設定するための装置及びその方法を提供することにある。
【００１３】
本発明の見地によると、移動通信システムにおけるＸ２インターフェースの設定方法が提供される。前記方法は、第１基地局が、前記第１基地局のセルで支援するＣＳＧの接続モード情報を含むＸ２インターフェース設定要請メッセージを第２基地局に送信する過程と、前記第２基地局が、前記第２基地局のセルで支援するＣＳＧの接続モード情報を含むＸ２インターフェース応答メッセージを前記第１基地局に送信する過程を含む。
【００１４】
本発明の他の見地によると、移動通信システムにおけるセルのスイッチング方法が提供される。前記方法は、ソース基地局が、ターゲット基地局の接続モード情報によって前記ＵＥのハンドオーバに対する許可可否を判断する過程と、前記ソース基地局が、前記ＵＥのグループメンバー状態指示子を含むハンドオーバ要請を前記ターゲット基地局に送信する過程と、前記ターゲット基地局が、ハンドオーバ要請応答を前記ソース基地局に送信する過程を含む。
【００１５】
本発明のまた他の見地によると、移動通信システムにおける基地局装置が提供される。前記装置は、第１基地局のセルで支援するＣＳＧの接続モード情報を含むＸ２インターフェース設定要請メッセージを第２基地局に送信し、前記第２基地局のセルで支援するＣＳＧの接続モード情報を含むＸ２インターフェース応答メッセージを受信する通信部と、前記第２基地局のセルで支援するＣＳＧの接続モード情報を貯蔵する貯蔵部を含む。
【００１６】
本発明の見地によると、移動通信システムにおける基地局装置が提供される。前記方法は、ターゲット基地局の接続モード情報によってＵＥのハンドオーバに対する許可可否を判断する制御部と、前記ＵＥのグループメンバー状態指示子を含むハンドオーバ要請メッセージを前記ターゲット基地局に送信し、前記ターゲットからハンドオーバ応答メッセージを受信する通信部を含む。
【００１７】
本発明の見地によると、移動通信システムにおける基地局装置が提供される。前記装置は、ソース基地局からＵＥが報告したターゲットセルで支援されるＣＳＧ  ＩＤを含むハンドオーバ要請メッセージを受信する通信部と、接続要請を送信する前に、ターゲット基地局のセルで支援されるＣＳＧ  ＩＤ及び前記ハンドオーバ要請メッセージによって伝達されたＣＳＧ  ＩＤが同じであるのかを判断する制御部を含み、前記通信部は、２つのＣＳＧ  ＩＤが同じであると前記接続要請メッセージをＭＭＥに送信し、前記２つのＣＳＧ  ＩＤが同じではないと、ハンドオーバ失敗メッセージを前記ソース基地局に送信する。
【００１８】
本発明の他の見地、利益、主な特徴は、以下に添付した本発明の実施形態及び図面と共に説明される詳細な説明により当業者に明白に認識されるはずである。
【００１９】
本発明の実施形態による本発明の上述した見地（ａｓｐｅｃｔ）及び他の見地、特徴、利益は、以下のような図面と共に説明される詳細な説明から明白に認識されるはずである。
【図面の簡単な説明】
【００２０】
【図１】ＳＡＥシステムの概略的な構造を示す図である。
【図２】本発明の実施形態による移動通信システムにおけるＸ２インターフェース設定手順を示す図である。
【図３】本発明の実施形態による移動通信システムの概略的な構造を示す図である。
【図４】本発明の実施形態によるソースセルに接続したＵＥがターゲットセルにハンドオーバするための手順を示す図である。
【図５】本発明の実施形態によるソースセルに接続したＵＥがターゲットセルにスイッチングするための手順を示す図である。
【図６】本発明の実施形態によるソースセルに接続したＵＥがターゲットセルにスイッチングするための手順を示す図である。
【図７】本発明の実施形態によるソースセルに接続したＵＥがターゲットセルにスイッチングするための手順を示す図である。
【図８】本発明の実施形態による移動通信システムにおける基地局のブロック構成を示す図である。
【図９】本発明の実施形態による移動通信システムにおけるＭＭＥのブロック構成を示す図である。
【発明を実施するための形態】
【００２１】
前記図面において、参照番号は同じであるか類似した要素、特徴、構造を説明するために使用される。
【００２２】
以下、図面を参考した説明は、特許請求の範囲及びそれと同等なものによって定義される本発明の実施形態の包括的な理解を助けるために提供される。以下の説明は、理解を助けるために多様な具体的な細部事項を含むが、単なる例示として取り扱われるのみである。従って、本発明の思想や範囲を逸脱しない範囲内で実施形態の多様な変形及び修正が可能であるというのはもちろんである。また、広く知られている機能及び構造の説明は明確性のために省略する。
【００２３】
以下の説明及び特許請求の範囲で使用される用語及び単語は書誌的意味に限られないが、本発明の明白で一貫的な理解を可能にする本発明者によってのみ使用される。従って、本発明の好ましい実施形態の以下の説明が例示目的のためにのみ提供され、添付した特許請求の範囲及びその均等物によって定義されるように、本発明を限る目的で提供されないことが当業者に理解されなければならない。
【００２４】
本発明の実施形態は、ＣＳＧ方式を含むホーム基地局エンティティを提供する。前記ホーム基地局の例はＨｅＮＢを含む。しかし、本発明はＣＳＧを利用するマクロ基地局にも同じく適用され得る。例えば、マクロ基地局のセルがＣＳＧとして定義され、接続モードによってＣＳＧセル、複合セル及び開放セルに区分される場合、以下に説明されるＣＳＧセル、複合セル及び開放セルはマクロ基地局にも適用され得る。
【００２５】
図２は、本発明の実施形態による移動通信システムにおけるＸ２インターフェース設定手順を示す図である。前記手順は、同じＣＳＧに属したホーム基地局間のＸ２インターフェースが設定される場合、ホーム基地局とマクロ基地局間のＸ２インターフェースが設定される場合、又はマクロ基地局間のＸ２インターフェースが設定される場合に適用され得る。
【００２６】
前記図２を参照すると、ステップ２０１において、基地局Ａ２１０は基地局Ｂ２２０にＸ２インターフェース設定要請メッセージを送信する。ここで、前記基地局Ａ２１０がＣＳＧ機能を支援する場合、前記基地局Ａ２１０のセルで支援されるＣＳＧの接続モードに対する情報は前記Ｘ２インターフェース設定要請メッセージに含まれる。詳しくは、ＣＳＧ接続モードは閉鎖モード、複合モード、開放モードのうち少なくとも一つを含んでもよい。詳しくは、前記ＣＳＧの接続モードが閉鎖モード又は複合モードである場合、前記基地局Ａ２１０のセルで支援されるＣＳＧ  ＩＤが前記Ｘ２インターフェース設定要請メッセージに含まれてもよい。前記ＣＳＧの接続モードが開放モードである場合、開放モードのセルはＣＳＧ  ＩＤを有しないため前記Ｘ２インターフェース設定要請メッセージは前記基地局Ａ２１０のセルで支援するＣＳＧ  ＩＤを含まなくてもよい。即ち、前記基地局Ａ２１０のセルでＣＳＧの接続モード（例：開放モード）に対する情報のみを含んでも十分である。本発明の実施形態によって、前記Ｘ２インターフェース設定要請メッセージは前記基地局Ａ２１０の識別情報、前記基地局Ａ２１０のセルに対する情報のうち少なくとも一つを含んでもよい。追加的に、前記要請は前記基地局Ａ２１０の隣接セルに対する情報、前記基地局Ａ２１０が属したＭＭＥプール（ｐｏｏｌ）に対する情報のうち少なくとも一つを更に含んでもよい。
【００２７】
ステップ２０３において、基地局Ｂ２２０は基地局Ａ２１０にＸ２インターフェース応答メッセージを送信する。ここで、前記基地局Ｂ２２０がＣＳＧ機能を支援する場合、前記基地局Ｂ２２０のセルで支援されるＣＳＧの接続モードに対する情報は前記Ｘ２インターフェース応答メッセージに含まれる。詳しくは、ＣＳＧ接続モードは閉鎖モード、複合モード、開放モードのうち少なくとも一つを含んでもよい。前記ＣＳＧの接続モードが閉鎖モード又は複合モードである場合、前記基地局Ｂ２２０のセルで支援するＣＳＧ  ＩＤが前記Ｘ２インターフェース応答メッセージに含まれてもよい。前記ＣＳＧの接続モードが開放モードである場合、開放モードのセルはＣＳＧ  ＩＤを有しないため前記Ｘ２インターフェース応答メッセージは前記基地局Ｂ２２０のセルで支援するＣＳＧ  ＩＤを含まなくてもよい。即ち、前記基地局Ｂ２２０のセルで支援するＣＳＧの接続モード（例：開放モード）に対する情報のみを含んでも十分である。本発明の実施形態によって、前記Ｘ２インターフェース応答メッセージは前記基地局Ｂ２２０の識別情報、前記基地局Ｂ２２０のセルに対する情報のうち少なくとも一つを含んでもよい。追加的に、前記Ｘ２インターフェース設定要請メッセージは前記基地局Ｂ２２０の隣接セルに対する情報、前記基地局Ｂ２２０が属したＭＭＥプール（ｐｏｏｌ）に対する情報のうち少なくとも一つを更に含んでもよい。
【００２８】
本発明の実施形態によるＸ２インターフェース設定手順が上述したように行われ得る。前記設定手順によると、前記図１に示したようなシステム構造は以下の図３のように変更されてもよい。
【００２９】
図３は、本発明の実施形態による移動通信システムの概略的な構造を示す図である。
【００３０】
前記図３を参照すると、前記ＳＡＥシステムはＥ−ＵＴＲＡＮ３１０に属し、ホーム基地局３３０はＳ１インターフェースを介してホーム基地局のゲートウェイ３４０と連結され、前記ホーム基地局のゲートウェイ３４０はＳ１インターフェースを介してＭＭＥ／Ｓ−ＧＷ３５０と連結される。マクロ基地局３２０はＳ１インターフェースを介して前記ＭＭＥ／Ｓ−ＧＷ３５０と連結される。特に、前記マクロ基地局３２０の間はＸ２インターフェースを介して連結され、前記ホーム基地局３３０の間はＸ２インターフェースを介して連結される。
【００３１】
以下、本発明は本発明の実施形態による移動通信システムにおけるセルのスイッチング過程に対して以下の図４を参照して説明する。
【００３２】
図４は、本発明の実施形態によるソースセルに接続したＵＥがターゲットセルにハンドオーバするための手順を示す図である。前記図４に示した実施形態は、前記図３のような構造のシステムに適用され得る。ソース基地局に対応するソースセル及びターゲット基地局に対応するターゲットセルは全てＣＳＧ機能を支援し、同じＣＳＧに対応する。即ち、ソースセルでブロードキャストされるＣＳＧ  ＩＤはターゲットセルでブロードキャストされるＣＳＧ  ＩＤと同じである。また、Ｘ２インターフェースは前記図２に示した本発明の実施形態によって前記ソース基地局及び前記ターゲット基地局の間に設定され得る。
【００３３】
前記図４を参照すると、ステップ４０１において、ＵＥ４１０はソースセルが位置したソース基地局４２０に測定報告（ｍｅａｓｕｒｅｍｅｎｔ  ｒｅｐｏｒｔ）メッセージを送信する。ここで、前記ＵＥ４２０は前記ソースセルの構成によって前記測定報告メッセージを送信する。例えば、前記ソースセルの構成に前記ＵＥ４２０が前記測定報告メッセージを周期的に送信するように定義された場合、前記ＵＥ４２０は定義された時間間隔に前記測定報告メッセージを送信する。または、前記ソースセルの構成に特定イベントが発生した際前記報告メッセージを送信するように定義された場合、前記ＵＥ４２０は前記イベントが発生した際前記測定報告メッセージを送信する。ここで、前記ターゲットセルに対応される物理階層識別情報（ｐｈｙｓｉｃａｌ  ｌａｙｅｒ  ｉｄｅｎｔｉｆｉｅｒ）が前記測定報告メッセージに含まれる。それによって、前記ソース基地局４２０は前記ＵＥ４１０がスイッチングするセルが前記ターゲットセルであることを認知する。前記ソースセル及び前記ターゲットセル全てはＣＳＧ機能を支援するセルであってもよい。それによって、前記ＣＳＧ  ＩＤ及び前記ＵＥ４１０のグループメンバー状態指示子が前記測定報告に更に含まれてもよい。詳しくは、前記グループメンバー状態指示子がメンバーとして設定されると、それは前記ＵＥ４１０が前記複合セルに属した使用者メンバーであることを指示する。
【００３４】
ステップ４０３において、前記ソース基地局４２０は前記ＵＥ４１０の前記ターゲットセルへのハンドオーバを許可し得るのか否かを判断する。許可されると、ステップ４０５において、前記ソース基地局４２０は前記ターゲット基地局４３０にハンドオーバ要請メッセージを送信する。一方、前記ソース基地局４２０が前記ＵＥ４１０が前記ターゲット基地局４３０にハンドオーバすることを拒否すると、本手順は終了される。前記ソース基地局４２０は前記ステップ４０３の測定報告及び無線資源管理のためのアルゴリズムによって判断し得る。詳しくは、前記ソース基地局４２０は前記無線資源管理のためのアルゴリズムによって定義されるハンドオーバ条件を前記ターゲットセルの信号が満足するのか否かを判断する。前記ターゲットセルの信号がハンドオーバ条件を満足すると、前記ソース基地局４２０は前記使用者のターゲットセルへのハンドオーバを決定する。好ましくは、前記ソース基地局４２０の前記ソースセル及びターゲット基地局４３０のターゲットセルは全てＣＳＧ機能を支援し、同じＣＳＧに対応する。また、前記ソース基地局４２０及び前記ターゲット基地局４３０間のＸ２インターフェースが前記図２に示した手順によって設定された場合、前記ソース基地局４２０は前記ターゲット基地局４３０のセルで支援するＣＳＧに対する情報、例えば、前記ＣＳＧの接続モード情報を獲得し得る。また、前記接続モードが閉鎖モード又は混合モードである場合、前記ＣＳＧに対する情報は前記ターゲット基地局４３０のセルで支援するＣＳＧ  ＩＤを更に含んでもよい。このように、前記ターゲットセルの信号が前記無線資源管理のためのアルゴリズムによって定義されるハンドオーバ条件を満足する場合、前記ソース基地局４２０はＣＳＧ検出機能を行い得る。例えば、前記ソース基地局４２０は前記ターゲットセルで支援するＣＳＧ  ＩＤが前記測定報告を介して前記ＵＥ４１０によって報告されたことと一致するのかを判断する。前記ＣＳＧ  ＩＤが一致すると、前記ソース基地局４２０は前記ＵＥ４１０の前記ターゲットセルへのハンドオーバを許可する。一致しないと、前記ターゲットセルがＣＳＧセルである場合、前記ソース基地局４２０は前記ＵＥ４１０の前記ターゲットセルへのハンドオーバを拒否する。
【００３５】
ステップ４０５において、前記ソース基地局４２０は前記ターゲット基地局４３０にハンドオーバ要請メッセージを送信する。ここで、前記ハンドオーバ要請メッセージは、前記ソース基地局４２０によって前記ＵＥ４１０に割り当てられたＸ２シグナリングコンテキストの指示子、前記コア網による指示子、前記コア網によって前記ＵＥ４１０に割り当てられたＳ１シグナリングコンテキストの指示子、前記ターゲットセルの識別情報、前記ＵＥ４１０の暗号化（ｅｎｃｒｙｐｔｉｏｎ）情報、前記ＵＥ４１０の暗号化能力、ＲＲＣ（Ｒａｄｉｏ  Ｒｅｓｏｕｒｃｅ  Ｃｏｎｔｒｏｌ）コンテキスト情報、Ｅ−ＵＴＲＡＮ  Ｅ−ＲＡＢ（Ｒａｄｉｏ  Ａｃｃｅｓｓ  Ｂｅａｒｅｒ）情報のうち少なくとも一つを含んでもよい。詳しくは、前記ＲＲＣコンテキスト情報は接続階層構成及び前記ソースセルによって前記ＵＥ４１０に割り当てられた識別情報を含んでもよく、前記Ｅ−ＲＡＢ情報はコア網の使用者プレーントンネル情報及びＱｏＳ情報を含んでもよい。
【００３６】
前記Ｘ２インターフェースが前記図２に示した手順によって設定された場合、前記ソース基地局４２０は前記ターゲット基地局４３０のセルで支援するＣＳＧに対する情報を獲得し得る。このように、前記ステップ４０５で前記ソース基地局４２０が前記ターゲット基地局４３０にハンドオーバ要請を送信した場合、前記ソース基地局４２０が前記ターゲット基地局４３０のセルで支援されるＣＳＧに対する情報によって前記ターゲットセル及び前記ソースセルが同じＣＳＧを支援することを認知すると、前記ターゲットセルは前記ソースセルの接続モードが閉鎖モードで前記ＵＥ４１０が既に前記ソースセルに接続しているのであれば、前記ターゲットセル及び前記ソースセルは同じＣＳＧを支援するため、前記ＵＥ４１０の接続を許可する。ここで、前記ＵＥ４１０が既に前記ソースセルに接続しているということは前記ソースセルが前記ＵＥの接続を許可することを意味する。従って、前記ソースセルの接続モードが閉鎖モードである場合、前記ソース基地局４２０は前記ターゲット基地局４３０に前記ハンドオーバ要請メッセージを送信する。次に、前記ハンドオーバ要請メッセージを受信した前記ターゲット基地局４３０は、前記ＵＥ４１０の前記ターゲットセル接続を許可することを決定し得る。
【００３７】
前記ソースセルの接続モードが混合モードである場合、前記ＵＥ４１０のグループメンバー状態指示子が前記ハンドオーバ要請メッセージに含まれてもよい。詳しくは、前記グループメンバー状態指示子は「グループメンバーである」又は「グループメンバーではない」と設定され得る。ここで、前記ターゲットセルが前記ソースセルと同じＣＳＧを支援するため、前記ＵＥ４１０が前記ソースセル及び前記ターゲットセルで同じグループメンバー状態を有すると予想される。前記ＵＥ４１０のグループメンバー状態指示子は前記ソース基地局４２０に既に貯蔵されている。それによって、前記ＵＥ４１０のグループメンバー指示子は前記ハンドオーバ要請メッセージに含まれることで十分である。本発明の実施形態によって、前記グループメンバー状態指示子は前記ＵＥ４１０がグループメンバーである場合に限って含まれ得る。例えば、前記ＵＥ４１０が前記グループメンバーではない場合、前記ハンドオーバ要請メッセージは前記グループメンバー状態指示子を含まない。即ち、前記グループメンバー状態情報が前記ハンドオーバ要請メッセージを介して伝達される場合、前記ＵＥ４１０はグループメンバーである。一方、前記グループメンバー状態情報が前記ハンドオーバ要請メッセージに含まれなければ、前記ＵＥ４１０はグループメンバーではないことを示す。
【００３８】
ステップ４０７において、前記ターゲット基地局４３０は前記ソース基地局４２０にハンドオーバ要請メッセージを送信する。ここで、前記ハンドオーバ要請応答メッセージは前記ターゲット基地局４３０によって前記ＵＥ４１０に割り当てられたＸ２シグナリングコンテキストの指示子、前記ＵＥ４１０に送信されるＲＲＣコンテキストメッセージのうち少なくとも一つを含む。前記ＵＥ４１０に送信されるＲＲＣメッセージは前記ソース基地局４２０に送信され、前記ソース基地局４１０は前記ＲＲＣメッセージを前記ＵＣ４１０に伝達する。必要に応じて、前記ハンドオーバ要請応答メッセージはデータ伝達のためのＧＴＰ（Ｇｅｎｅｒａｌ  Ｄａｔａ  Ｔｒａｎｓｆｅｒ  Ｐｌａｔｆｏｒｍ）情報を更に含んでもよい。
【００３９】
ステップ４０９において、前記ソース基地局４２０は前記ＵＥ４１０にＲＲＣ再構成要請（ＲＲＣ  ｒｅｃｏｎｆｉｇｕｒａｔｉｏｎ  ｒｅｑｕｅｓｔ）メッセージを送信する。ここで、前記ＲＲＣ再構成要請メッセージは、前記ステップ４０７において、前記ターゲット基地局４３０によって前記ソース基地局４２０に送信される「前記ＵＥ４１０に送信されるＲＲＣメッセージ」を含んでもよい。前記「前記ＵＥ４１０に送信されるＲＲＣメッセージ」は前記ターゲット基地局４３０によって前記ソース基地局４２０に送信され、前記ソース基地局４２０によって前記ＵＥ４１０に送信される。詳しくは、前記ＵＥ４１０に送信されるＲＲＣメッセージは前記ターゲットセルによって前記ＵＥ４１０に割り当てられたＣ−ＲＮＴＩ（Ｃｅｌｌ  Ｒａｄｉｏ  Ｎｅｔｗｏｒｋ  Ｔｅｍｐｏｒａｒｙ  Ｉｄｅｎｔｉｆｉｅｒ）、前記ターゲット基地局４３０の暗号化情報のうち少なくとも一つを含んでもよく、割り当てられたランダムアクセスチャネル（ｒａｎｄｏｍ  ａｃｃｅｓｓ  ｃｈａｎｎｅｌ）に対する情報を更に含んでもよい。
【００４０】
ステップ４１１において、前記ＵＥ４１０は前記ターゲットセルに同期化する。前記同期化が完了された後、ステップ４１３において、前記ＵＥ４１０は前記ターゲット基地局４３０にＲＲＣ再構成完了（ＲＲＣ  ｒｅｃｏｎｆｉｇｕｒａｔｉｏｎ  ｃｏｍｐｌｅｔｉｏｎ）メッセージを送信する。
【００４１】
ステップ４１５において、前記ターゲット基地局４３０はＭＭＥ４４０経路変更要請（ｐａｔｈ  ｓｗｉｔｃｈｉｎｇ  ｒｅｑｕｅｓｔ）メッセージを送信することで前記ＵＥ４１０が新たなセル、例えば、ターゲットセルにスイッチングされたことを通知する。ここで、前記ターゲット基地局４３０によって前記ＵＥ４１０に割り当てられたＳ１シグナリングコンテキストの指示子及びダウンリンクデータ受信に対するトンネル情報（ｔｕｎｎｅｌ  ｉｎｆｏｒｍａｔｉｏｎ  ｆｏｒ  ｄｏｗｎｌｉｎｋ  ｄａｔａ  ｒｅｃｅｐｔｉｏｎ）が前記経路変更要請メッセージに含まれてもよい。
【００４２】
ステップ４１７において、前記ＭＭＥ４４０は前記ターゲット基地局４３０に経路変更応答（ｐａｔｈ  ｓｗｉｔｃｈｉｎｇ  ｒｅｓｐｏｎｓｅ）メッセージを送信する。ここで、前記ＭＭＥ４４０によって前記ＵＥ４１０に割り当てられたＳ１シグナリングコンテキストの指示子及びダウンリンクデータ受信に対するトンネル情報（ｔｕｎｎｅｌ  ｉｎｆｏｒｍａｔｉｏｎ  ｆｏｒ  ｄｏｗｎｌｉｎｋ  ｄａｔａ）が前記経路変更応答メッセージに含まれてもよい。また、必要に応じて暗号化情報も前記経路変更応答メッセージに更に含まれてもよい。
【００４３】
ステップ４１９において、前記ターゲット基地局４３０は前記ソース基地局４２０にＵＥコンテキスト解除（ＵＥ  ｃｏｎｔｅｘｔ  ｒｅｌｅａｓｅ）メッセージを送信することで、前記ソース基地局４２０に前記ＵＥ４１０のコンテキストが解除され得ることを指示する。
【００４４】
上述したように、Ｘ２ハンドオーバ手順が行われ得る。
【００４５】
上述した説明は、同じＣＳＧグループに属したソース基地局及びターゲット基地局を前提に提供されたものである。もし、前記ソース基地局及び前記ターゲット基地局が互いに異なるＣＳＧに属し、前記ソース基地局が前記ＵＥがターゲットセルに接続し得るのか否かに対する情報を貯蔵していない場合、コア網はＣＳＧ接続制御に参与しなければならない。
【００４６】
図５は、本発明の実施形態によるソースセルに接続したＵＥがターゲットセルにスイッチングするための手順を示す図である。前記実施形態は、前記図３のような構造のシステムに適用され得る。ここで、Ｘ２インターフェースは前記図２に示したようにソース基地局５２０及びターゲット基地局５３０の間に設定される。詳しくは、前記ソース基地局５２０及び前記ターゲット基地局５３０はホーム基地局であってもよく、ＣＳＧ機能を支援するマクロ基地局であってもよい。
【００４７】
前記図５を参照すると、ステップ５０１において、ＵＥ５１０はソースセルが位置したソース基地局５２０に測定報告（ｍｅａｓｕｒｅｍｅｎｔ  ｒｅｐｏｒｔ）メッセージを送信する。ここで、前記ＵＥ５２０は前記ソースセルの構成によって前記測定報告メッセージを送信する。例えば、前記ソースセルの構成に前記ＵＥ５２０が前記測定報告メッセージを周期的に送信するように定義された場合、前記ＵＥ５２０は定義された時間間隔に前記測定報告メッセージを送信する。または、前記ソースセルの構成に特定イベントが発生した際前記測定報告メッセージを送信するように定義された場合、前記ＵＥ５２０は前記イベントが発生した際前記測定報告メッセージを送信する。ここで、前記ターゲットセルに対応される物理階層識別情報（ｐｈｙｓｉｃａｌ  ｌａｙｅｒ  ｉｄｅｎｔｉｆｉｅｒ）が前記測定報告メッセージに含まれる。それによって、前記ソース基地局５２０は前記ＵＥ５１０がスイッチングするセルが前記ターゲットセルであることを認知する。前記ソースセル及び前記ターゲットセル全てはＣＳＧ機能を支援するセルであってもよい。それによって、前記ＣＳＧ  ＩＤ及び前記ＵＥ５１０のグループメンバー状態指示子が前記測定報告に更に含まれてもよい。詳しくは、前記グループメンバー状態指示子がメンバーとして設定されると、それは前記ＵＥ５１０が前記複合セルに属した使用者メンバーであることを指示する。
【００４８】
ステップ５０３において、前記ソース基地局５２０は前記ＵＥ５１０の前記ターゲットセルへのハンドオーバを許可し得るのか否かを判断する。許可されると、ステップ５０５において、前記ソース基地局５２０が前記ＭＭＥ６４０に接続要請メッセージを送信する。一方、前記ソース基地局５２０が前記ＵＥ５１０の前記ターゲットセルへのハンドオーバを拒否すると、本手順は終了される。詳しくは、前記ソース基地局５２０は前記ステップ５０３の測定報告及び無線資源管理のためのアルゴリズムによって判断し得る。即ち、前記ソース基地局５２０は前記無線資源管理のためのアルゴリズムによって定義されるハンドオーバ条件を前記ターゲットセルの信号が満足するのか否かを判断する。前記ターゲットセルの信号が前記ハンドオーバ条件を満足すると、前記ソース基地局５２０は前記使用者のターゲットセルへのハンドオーバを決定する。前記ソース基地局５２０の前記ソースセル及び前記ターゲット基地局５３０のターゲットセルは全てＣＳＧ機能を支援し、同じＣＳＧに対応する。また、前記ソース基地局５２０及び前記ターゲット基地局５３０間のＸ２インターフェースが前記図２に示した手順によって設定された場合、前記ソース基地局５２０は前記ターゲット基地局５３０のセルで支援するＣＳＧに対する情報、例えば、前記ＣＳＧの接続モード情報を獲得し得る。また、前記接続モードが閉鎖モード又は混合モードである場合、前記ＣＳＧに対する情報は前記ターゲット基地局５３０のセルで支援するＣＳＧ  ＩＤを更に含んでもよい。このように、前記ターゲットセルの信号が前記無線資源管理のためのアルゴリズムによって定義されるハンドオーバ条件を満足する場合、前記ソース基地局５２０はＣＳＧ検出機能を行い得る。例えば、前記ソース基地局５２０は前記ターゲットセルで支援するＣＳＧ  ＩＤが前記測定報告を介して前記ＵＥ５１０によって報告されたことと一致するのかを判断する。そして、前記ターゲットセルで支援するＣＳＧ  ＩＤが前記測定報告を介して前記ＵＥ５１０によって報告されたことと一致すると、前記ソース基地局５２０は前記ＵＥ５１０の前記ターゲットセルへのハンドオーバを許可する。一方、一致しないと、前記ターゲットセルがＣＳＧセルである場合、前記ソース基地局５２０は前記ＵＥ５１０の前記ターゲットセルへのハンドオーバを拒否す
る。
【００４９】
ステップ５０５において、ソース基地局５２０はターゲットセル及びソースセルが同じＣＳＧを支援しないことを判断する。そして、ターゲットセルがＣＳＧ能力を有するセルであれば、前記ソース基地局５２０はＭＭＥ５４０に接続要請（ａｃｃｅｓｓ  ｒｅｑｕｅｓｔ）メッセージを送信する。本発明の実施形態によって、前記図２に示したように、前記ターゲット基地局５３０とＸ２インターフェースを設定する間、前記ソース基地局５２０は前記ターゲット基地局５３０のセルがＣＳＧを支援することを確認し得る。このように、前記ソース基地局５２０は知っているＣＳＧ情報に従って前記ターゲットセル及び前記ソースセルが同じＣＳＧを支援するのか否かを容易に判断し得る。前記ソース基地局５２０及び前記ターゲット基地局５３０が同じＣＳＧを支援すると、前記ソース基地局５２０は前記図４に示したように動作する。一方、同じＣＳＧを支援しなければ、前記ソース基地局５２０はＭＭＥ５４０に前記接続要請メッセージを送信する動作を行う。もしターゲットセルがＣＳＧ機能を支援しなければ、前記コア網はＣＳＧ接続決定を行わない必要がなく、従来の方式に従って次の手順が進行され得る。ここで、前記接続要請メッセージは前記ターゲットセルで支援するＣＳＧ  ＩＤ，接続モード、前記ＵＥ５１０の識別情報のうち少なくとも一つを含んでもよい。
【００５０】
ステップ５０７において、前記ＭＭＥ５４０は前記ターゲットセルで支援するＣＳＧ  ＩＤ、接続モード、前記ＵＥ５１０の加入情報などに従って前記ＵＥ５１０の接続を制御し、前記ソース基地局５２０に接続応答（ａｃｃｅｓｓ  ｒｅｓｐｏｎｓｅ）メッセージを送信する。ここで、前記ターゲットセルがＣＳＧセルである場合、前記接続応答メッセージは前記ＵＥ５１０が接続を許可されたのか否かを示す指示子を含んでいる。他の実施形態として、前記ＵＥ５１０が接続を許可された場合、前記ターゲットセルへの接続を許可する成功接続応答（ｓｕｃｃｅｓｓ  ａｃｃｅｓｓ  ｒｅｓｐｏｎｓｅ）が送信されてもよく、前記ＵＥ５１０が接続を許可されなかった場合、前記ターゲットセルへの接続が不許であることを指示する失敗接続応答（ｆａｉｌｕｒｅ  ａｃｃｅｓｓ  ｒｅｓｐｏｎｓｅ）が送信され得る。前記ターゲットセルが複合セルであれば、前記ＭＭＥ５４０は前記ＵＥ５１０が前記ターゲットセルが支援するＣＳＧのグループ使用者メンバーであるのか否かを判断する。この場合、前記接続応答メッセージは前記ＵＥ５１０が前記複合セルのグループメンバーであるのか否かを示す指示子を含んでもよい。
【００５１】
ステップ５０９において、前記ソース基地局５２０は前記接続応答メッセージに含まれた前記ＵＥ５１０のスイッチングが許可されたのか否かを示す指示子によって前記ＵＥ５１０が前記ターゲットセルへのスイッチングを許可されたのかを判断する。前記スイッチングが許可された場合、前記ソース基地局５２０は前記ターゲット基地局５３０にハンドオーバ要請（ｈａｎｄｏｖｅｒ  ｒｅｑｕｅｓｔ）メッセージを送信する。一方、前記スイッチングが許可されなかった場合、前記使用者の接続は拒否され、本手順は終了される。ここで、前記ソース基地局５２０によって前記ＵＥ５１０に割り当てられた前記Ｘ２シグナリングコンテキストの指示子、前記コア網の指示子、前記コア網によって前記ＵＥ５１０に割り当てられたＳ１シグナリングコンテキストの指示子、前記ターゲットセルの識別情報、前記ＵＥ５１０の暗号化能力及び暗号化情報、ＲＲＣコンテキスト情報、Ｅ−ＲＡＢ情報のうち少なくとも一つが前記ハンドオーバ要請メッセージに含まれてもよい。
【００５２】
前記ターゲットセルへの接続モードが閉鎖モードである場合、前記ＭＭＥ５４０が前記ＵＥ６１０の前記ターゲットセルへの接続を不許することを指示したならば、前記ソース基地局５２０は使用者の前記ターゲットセルへのスイッチングを拒否し得る。一方、前記ＭＭＥ５４０が前記ＵＥ５１０の前記ターゲットセルへの接続を許可することを指示したならば、前記ソース基地局５２０は前記ターゲット基地局５２０に前記ハンドオーバ要請メッセージを送信する。この場合、前記ハンドオーバ要請メッセージは前記ＵＥ５１０が前記ターゲットセルへの接続を許可されることを指示する指示子、例えば、前記ＵＥ５１０が前記ターゲットセルで支援するＣＳＧに接続を許可されることを示す指示子を含んでもよい。前記指示子は明示的に接続が許可されることに対する情報要素（ｉｎｆｏｒｍａｔｉｏｎ  ｅｌｅｍｅｎｔ）を含むか、又は黙示的に表現してもよい。黙示的な場合の例を挙げると、前記ソース基地局５２０が前記ハンドオーバ要請メッセージを送信した場合、前記ＭＭＥ５４０が前記ＵＥ５１０が接続することを許可することを意味する。
【００５３】
もし、ターゲットセルの接続モードが複合モードである場合、いかなる使用者であってもターゲットセルへの接続を許可され得る。それによって、前記ソース基地局５２０は前記ターゲット基地局５３０に前記ハンドオーバ要請メッセージを送信する。この場合、前記ハンドオーバ要請メッセージは前記ターゲットセルに対する前記ＵＥ５１０のグループメンバー状態指示子を更に含んでもよい。詳しくは、前記ＵＥ５１０の前記グループメンバー状態指示子は「グループメンバーである」又は「グループメンバーではない」と設定されてもよく、それは前記ＵＥ５１０が前記ターゲットセルで支援するＣＳＧメンバーであることを意味する。または、前記ＵＥ５１０の前記グループメンバー状態指示子は「グループメンバーではない」と設定されてもよく、それは前記ＵＥ５１０が前記ターゲットセルで支援するＣＳＧのメンバーではないことを意味する。
【００５４】
ステップ５１１において、前記ターゲット基地局５３０は前記ソース基地局５２０にハンドオーバ要請メッセージを送信する。ここで、前記ハンドオーバ要請応答メッセージは前記ターゲット基地局５３０によって前記ＵＥ５１０に割り当てられたＸ２シグナリングコンテキストの指示子、前記ＵＥ５１０に送信されるＲＲＣコンテキストメッセージのうち少なくとも一つを含む。詳しくは、前記ＵＥ５１０に送信されるＲＲＣメッセージは前記ソース基地局５２０に送信され、前記ソース基地局５１０は前記ＲＲＣメッセージを前記ＵＣ５１０に伝達する。必要に応じて、前記ハンドオーバ要請応答メッセージはデータ伝達のためのＧＴＰ（Ｇｅｎｅｒａｌ  Ｄａｔａ  Ｔｒａｎｓｆｅｒ  Ｐｌａｔｆｏｒｍ）情報を更に含んでもよい。
【００５５】
ステップ５１３において、前記ソース基地局５２０は前記ＵＥ５１０にＲＲＣ再構成要請（ＲＲＣ  ｒｅｃｏｎｆｉｇｕｒａｔｉｏｎ  ｒｅｑｕｅｓｔ）メッセージを送信する。ここで、前記ＲＲＣ再構成要請メッセージは、前記ステップ５１１で前記ターゲット基地局５３０によって前記ソース基地局５２０に送信される「前記ＵＥ５１０に送信されるＲＲＣメッセージ」を含んでもよい。前記「前記ＵＥ５１０に送信されるＲＲＣメッセージ」は前記ターゲット基地局５３０によって前記ソース基地局５２０に送信され、前記ソース基地局５２０によって前記ＵＥ５１０に送信される。詳しくは、前記ＵＥ５１０に送信されるＲＲＣメッセージは前記ターゲットセルによって前記ＵＥ５１０に割り当てられたＣ−ＲＮＴＩ、前記ターゲット基地局５３０の暗号化情報のうち少なくとも一つを含んでもよく、割り当てられたランダムアクセスチャネル（ｒａｎｄｏｍ  ａｃｃｅｓｓ  ｃｈａｎｎｅｌ）に対する情報を更に含んでもよい。
【００５６】
ステップ５１５において、前記ＵＥ５１０は前記ターゲットセルに同期化する。前記同期化が完了された後、ステップ５１７において、前記ＵＥ５１０は前記ターゲット基地局５３０にＲＲＣ再構成完了（ＲＲＣ  ｒｅｃｏｎｆｉｇｕｒａｔｉｏｎ  ｃｏｍｐｌｅｔｉｏｎ）メッセージを送信する。
【００５７】
ステップ５１９において、前記ターゲット基地局５３０はＭＭＥ５５０に経路変更要請（ｐａｔｈ  ｓｗｉｔｃｈｉｎｇ  ｒｅｑｕｅｓｔ）メッセージを送信することで前記ＵＥ５１０が新たなセル、例えば、ターゲットセルにスイッチングされたことを通知する。ここで、前記ターゲット基地局５３０によって前記ＵＥ５１０に割り当てられたＳ１シグナリングコンテキストの指示子及びダウンリンクデータ受信に対するトンネル情報（ｔｕｎｎｅｌ  ｉｎｆｏｒｍａｔｉｏｎ  ｆｏｒ  ｄｏｗｎｌｉｎｋ  ｄａｔａ  ｒｅｃｅｐｔｉｏｎ）が前記経路変更要請メッセージに含まれてもよい。
【００５８】
ステップ５２１において、前記ＭＭＥ５５０は前記ターゲット基地局５３０に経路変更応答（ｐａｔｈ  ｓｗｉｔｃｈｉｎｇ  ｒｅｓｐｏｎｓｅ）メッセージを送信する。ここで、前記ＭＭＥ５５０によって前記ＵＥ５１０に割り当てられたＳ１シグナリングコンテキストの指示子及びダウンリンクデータ受信に対するトンネル情報（ｔｕｎｎｅｌ  ｉｎｆｏｒｍａｔｉｏｎ  ｆｏｒ  ｄｏｗｎｌｉｎｋ  ｄａｔａ  ｒｅｃｅｐｔｉｏｎ）が前記経路変更応答メッセージに含まれてもよい。また、必要に応じて暗号化情報も前記経路変更応答メッセージに更に含まれてもよい。
【００５９】
ステップ５２３において、前記ターゲット基地局５３０は前記ソース基地局５２０にＵＥコンテキスト解除（ＵＥ  ｃｏｎｔｅｘｔ  ｒｅｌｅａｓｅ）メッセージを送信することで、前記ソース基地局５２０に前記ＵＥ５１０のコンテキストが解除され得ることを指示する。それによって、前記ソース基地局５２０はＵＥコンテキストを解除する。
【００６０】
前記図５を参照して説明したように、Ｘ２ハンドオーバ手順が行われ得る。
【００６１】
前記図５に示した手順において、ソース基地局はＭＭＥのＣＳＧ接続制御をトリガー（ｔｒｉｇｇｅｒ）する。即ち、ＭＭＥによる接続制御は、前記ソース基地局がＵＥの前記ターゲットセルへの接続可否を判断した後行われる。しかしこの場合、ターゲット基地局はハンドオーバ手順を準備することができない。以下、前記ターゲット基地局がＭＭＥのＣＳＧ接続制御をトリガー（ｔｒｉｇｇｅｒ）する手順を図６を参照して説明する。
【００６２】
図６は、本発明の実施形態によるソースセルに接続したＵＥがターゲットセルにスイッチングするための手順を示す図である。前記図６に示した実施形態は、前記図３のような構造のシステムに適用され得る。ここで、Ｘ２インターフェースは前記図２に示したようにソース基地局６２０及びターゲット基地局６３０の間に設定される。前記ソース基地局６２０及び前記ターゲット基地局６３０はホーム基地局であってもよく、ＣＳＧ機能を支援するマクロ基地局であってもよい。ソースセルに接続したＵＥ６１０のターゲットセルへのスイッチングが要求される場合、前記図６に示した以下の手順が行われる。
【００６３】
前記図６を参照すると、ステップ６０１において、ＵＥ６１０はソースセルが位置したソース基地局６２０に測定報告（ｍｅａｓｕｒｅｍｅｎｔ  ｒｅｐｏｒｔ）メッセージを送信する。ここで、前記ＵＥ６２０は前記ソースセルの構成によって前記測定報告メッセージを送信する。例えば、前記ソースセルの構成に前記ＵＥ６２０が前記測定報告メッセージを周期的に送信するように定義された場合、前記ＵＥ６２０は定義された時間間隔に前記測定報告メッセージを送信する。または、前記ソースセルの構成に特定イベントが発生した際前記測定報告メッセージを送信するように定義された場合、前記ＵＥ６２０は前記イベントが発生した際前記測定報告メッセージを送信する。ここで、前記ターゲットセルに対応される物理階層識別情報（ｐｈｙｓｉｃａｌ  ｌａｙｅｒ  ｉｄｅｎｔｉｆｉｅｒ）が前記測定報告メッセージに含まれる。それによって、前記ソース基地局６２０は前記ＵＥ６１０がスイッチングするセルが前記ターゲットセルであることを認知する。前記ソースセル及び前記ターゲットセル全てはＣＳＧ機能を支援するセルであってもよい。それによって、前記ＣＳＧ  ＩＤ及び前記ＵＥ６１０のグループメンバー状態指示子が前記測定報告に更に含まれてもよい。詳しくは、前記グループメンバー状態指示子がメンバーとして設定されると、それは前記ＵＥ６１０が前記複合セルに属した使用者メンバーであることを指示する。
【００６４】
ステップ６０３において、前記ソース基地局６２０は前記ＵＥ６１０の前記ターゲットセルへのハンドオーバを許可し得るか否かを判断する。前記ハンドオーバが許可されると、ステップ６０５で前記ソース基地局６２０は前記ターゲット基地局６３０にハンドオーバ要請を送信する。一方、前記ソース基地局６２０が前記ＵＥ６１０の前記ターゲットセルへのハンドオーバを拒否すると、本手順は終了される。前記ソース基地局６２０は前記ステップ６０３の測定報告及び無線資源管理のためのアルゴリズムによって判断し得る。言い換えると、前記ソース基地局６２０は前記無線資源管理のためのアルゴリズムによって定義されるハンドオーバ条件を前記ターゲットセルの信号が満足するのか否かを判断する。前記ターゲットセルの信号がハンドオーバ条件を満足すると、前記ソース基地局６２０は前記使用者のターゲットセルへのハンドオーバを決定する。前記ソース基地局６２０の前記ソースセル及びターゲット基地局６３０のターゲットセルは全てＣＳＧ機能を支援し、同じＣＳＧに対応する。また、前記ソース基地局６２０及び前記ターゲット基地局６３０間のＸ２インターフェースが前記図２に示した手順によって設定された場合、前記ソース基地局６２０は前記ターゲット基地局６３０のセルで支援するＣＳＧに対する情報、例えば、前記ＣＳＧの接続モード情報を獲得し得る。また、前記接続モードが閉鎖モード又は混合モードである場合、前記ＣＳＧに対する情報は前記ターゲット基地局６３０のセルで支援するＣＳＧ  ＩＤを更に含んでもよい。このように、前記ターゲットセルの信号が前記無線資源管理のためのアルゴリズムによって定義されるハンドオーバ条件を満足する場合、前記ソース基地局６２０はＣＳＧ検出機能を行い得る。例えば、前記ソース基地局６２０は前記ターゲットセルで支援するＣＳＧ  ＩＤが前記測定報告を介して前記ＵＥ６１０によって報告されたことと一致するのかを判断する。前記ターゲットセルで支援するＣＳＧ  ＩＤが前記測定報告を介して前記ＵＥ６１０によって報告されたことと一致すると、前記ソース基地局６２０は前記ＵＥ６１０の前記ターゲットセルへのハンドオーバを許可する。一方、一致しないと、前記ターゲットセルがＣＳＧセルである場合、前記ソース基地局６２０は前記ＵＥ６１０の前記ターゲットセルへのハンドオーバを拒否する
。
【００６５】
ステップ６０５において、前記ソース基地局６２０は前記ターゲット基地局６３０にハンドオーバ要請（ｈａｎｄｏｖｅｒ  ｒｅｑｕｅｓｔ）メッセージを送信する。ここで、前記ソース基地局６２０によって前記ＵＥ６１０に割り当てられたＸ２シグナリングコンテキストの指示子、前記コア網の指示子、前記コア網によって前記ＵＥ６１０に割り当てられたＳ１シグナリングコンテキストの指示子、前記ターゲットセルの識別情報、前記ＵＥ６１０の暗号化能力及び暗号化情報、ＲＲＣコンテキスト情報、Ｅ−ＲＡＢ情報のうち少なくとも一つが前記ハンドオーバ要請メッセージに含まれてもよい。
【００６６】
もし、前記ソース基地局６２０及び前記ターゲット基地局６３０間のＸ２インターフェースが設定される過程において、前記ソース基地局６２０が前記ターゲット基地局６３０のセルで支援されるＣＳＧに対する情報を獲得することができなかった場合、前記ターゲット基地局６３０はＣＳＧ検出機能を行い得る。前記ＣＳＧ検出機能は、以下のように行われ得る。前記ＣＳＧ検出機能は、前記ステップ６０１乃至前記ステップ６０５に代わり得る。前記ＵＥ６１０は前記ソース基地局６２０に前記ＵＥ６１０のグループメンバー状態指示子、前記ターゲットセルで支援されるＣＳＧ  ＩＤを含む前記測定報告メッセージを送信する。そして、前記ソース基地局６２０は前記ターゲット基地局６３０に前記ハンドオーバ要請メッセージを送信する。前記情報、即ち、前記Ｘ２シグナリングコンテキストの指示子、前記コア網の指示子、前記コア網によって前記ＵＥ６１０に割り当てられたＳ１シグナリングコンテキストの指示子、前記ターゲットセルの指示子、前記ＵＥ６１０の暗号化能力及び暗号化情報、ＲＲＣコンテキスト情報、Ｅ−ＲＡＢ情報のうち少なくとも一つに追加的に、前記ハンドオーバ要請メッセージは前記ＵＥ６１０から前記測定報告メッセージを介して報告された前記ＵＥ６１０のグループメンバー状態指示子を更に含んでもよい。前記ハンドオーバ要請メッセージを受信した前記ターゲット基地局６３０は前記ＵＥ６１０によって報告されたＣＳＧ  ＩＤ及び前記ターゲットセルで実際に支援するＣＳＧ  ＩＤを比較する。前記ＣＳＧ  ＩＤが同じではないと、前記ターゲット基地局６３０は前記ＵＥ６１０によって報告されたＣＳＧ  ＩＤが信頼し得ない（ｆｏｒｇｅｄ）ものと判断する。前記ターゲットセルの接続モードが閉鎖モードである場合、前記ターゲット基地局６３０は前記ＵＥ６１０のスイッチングを拒否し、前記ソース基地局６２０にハンドオーバ失敗（ｈａｎｄｏｖｅｒ  ｆａｉｌｕｒｅ）メッセージを送信する。前記ターゲットセルの接続モードが複合モードである場合前記ターゲット基地局６３０は前記ＵＥ６１０のスイッチングを許可するが、前記ＵＥ６１０をＣＳＧのグループメンバーではないものと扱う。前記ＣＳＧ  ＩＤが同じであると、前記ターゲット基地局６３０は前記ＵＥ６１０によって報告されたＣＳＧ  ＩＤを信頼し得るものと判断する。
【００６７】
ステップ６０７において、前記ターゲット基地局はハンドオーバ要請（ｈａｎｄｏｖｅｒ  ｒｅｑｕｅｓｔ）メッセージを受信する。ステップ６０９において、前記ターゲットセルがＣＳＧセルである場合、前記ターゲット基地局６３０は前記ＭＭＥ６４０に接続要請（ａｃｃｅｓｓ  ｒｅｑｕｅｓｔ）メッセージを送信する。ここで、前記ターゲット基地局６３０は前記ＭＭＥ６４０に前記接続要請メッセージを送信することでコア網が前記ＵＥ６１０が前記ターゲットセルに接続することを許可するのかを判断するようにする。前記接続要請メッセージは、前記ＵＥ６１０の識別情報及び前記ターゲットセルで支援されるＣＳＧ  ＩＤのうち少なくとも一つを含んでもよい。前記ターゲットセルの接続モードが複合セルであれば、いかなる使用者であっても前記ターゲット複合セルに接続することを許可され得る。この場合、前記ステップ６０９で前記ターゲット基地局６２０によって前記ＭＭＥ６４０に接続要請を送信すること、前記ステップ６１１で前記ＭＭＥ６４０によって前記ターゲット基地局６２０に接続応答を送信することが省略されてもよく、前記ステップ６１３で前記ターゲット基地局６２０によって接続制御がすぐに行われ得る。
【００６８】
ステップ６１１において、前記ＭＭＥ６４０はターゲットセルで支援するＣＳＧ  ＩＤ、前記ＵＥ６１０の加入情報などに従って前記ＵＥ６１０の接続を制御し、前記ソース基地局６２０に接続応答（ａｃｃｅｓｓ  ｒｅｓｐｏｎｓｅ）メッセージを送信する。前記ターゲットセルがＣＳＧモードである場合、前記ＭＭＥ６４０は前記ＵＥ６１０が前記ターゲットセルに接続することが許可されるのかを判断する。即ち、前記ＭＭＥ６４０は前記ＵＥ６１０の加入情報によって前記ターゲットセルで支援するＣＳＧであるのか否かを判断する。この場合、前記接続応答メッセージは前記ＵＥ６１０が接続を許可されたのか否かを示す指示子を含んでもよい。他の実施形態として、前記ＵＥ６１０が接続を許可された場合、前記ターゲットセルへの接続が許可されたことを指示する成功接続応答（ｓｕｃｃｅｓｓ  ａｃｃｅｓｓ  ｒｅｓｐｏｎｓｅ）が送信されることができ、前記ＵＥ６１０が接続を許可されなかった場合、前記ターゲットセルへの接続を不許することを指示する失敗接続応答（ｆａｉｌｕｒｅ  ａｃｃｅｓｓ  ｒｅｓｐｏｎｓｅ）が送信され得る。
【００６９】
ステップ６１３において、前記ＵＥ６１０が前記ターゲットセルへの接続を許可されると、前記ターゲット基地局６３０は前記ステップ６０５における前記ハンドオーバ要請メッセージに含まれたＥ−ＲＡＢ  ＱｏＳ情報に従って資源の接続制御を行う。そして、前記ターゲット基地局６３０は前記ソース基地局６２０に前記ハンドオーバ要請応答メッセージを送信する。ここで、前記ステップ６０７の接続制御は前記ターゲット基地局６３０の物理資源が前記Ｅ−ＲＡＢ  ＱｏＳを満足するのか否か、前記Ｅ−ＲＡＢに十分な資源が割り当てられ得るのか否かに基づいて行われるが、これは前記ターゲット基地局６３０の本機能である。詳しくは、前記ハンドオーバ要請応答メッセージは前記ターゲット基地局６３０によって前記ＵＥ６１０に割り当てられたＸ２シグナリングコンテキストの指示子、前記ＵＥ６１０に送信されるＲＲＣメッセージのうち一つを含んでもよい。または、必要に応じて前記ハンドオーバ要請応答メッセージはデータ伝達のためのＧＴＰ情報を更に含んでもよい。
【００７０】
ステップ６１５において、前記ソース基地局６２０は前記ＵＥ６１０にＲＲＣ再構成要請（ＲＲＣ  ｒｅｃｏｎｆｉｇｕｒａｔｉｏｎ  ｒｅｑｕｅｓｔ）メッセージを送信する。ここで、前記ＲＲＣ再構成要請メッセージは、前記ステップ６１３において前記ターゲット基地局６３０によって前記ソース基地局６２０に送信される「前記ＵＥ６１０に送信されるＲＲＣメッセージ」を含んでもよい。前記「前記ＵＥ６１０に送信されるＲＲＣメッセージ」は前記ターゲット基地局６３０によって前記ソース基地局６２０に送信され、前記ソース基地局６２０によって前記ＵＥ６１０に送信される。詳しくは、前記ＵＥ６１０に送信されるＲＲＣメッセージは前記ターゲットセルによって前記ＵＥ６１０に割り当てられたＣ−ＲＮＴＩ、前記ターゲット基地局６３０の暗号化情報のうち少なくとも一つを含んでもよく、割り当てられたランダムアクセスチャネル（ｒａｎｄｏｍ  ａｃｃｅｓｓ  ｃｈａｎｎｅｌ）に対する情報を更に含んでもよい。
【００７１】
ステップ６１７において、前記ＵＥ６１０は前記ターゲットセルに同期化し、ステップ６１９において、前記同期化が完了した後前記ターゲット基地局６３０にＲＲＣ再構成完了（ＲＲＣ  ｒｅｃｏｎｆｉｇｕｒａｔｉｏｎ  ｃｏｍｐｌｅｔｉｏｎ）メッセージを送信する。
【００７２】
ステップ６２１において、前記ターゲット基地局６３０は前記ＭＭＥ６４０に経路変更要請（ｐａｔｈ  ｓｗｉｔｃｈｉｎｇ  ｒｅｑｕｅｓｔ）メッセージを送信することで、前記ＵＥ６１０が新たなセル、例えば、ターゲットセルにスイッチングされたことを通知する。ここで、前記ターゲット基地局６３０によって前記ＵＥ６１０に割り当てられたＳ１シグナリングコンテキストの指示子及びダウンリンクデータ受信に対するトンネル情報（ｔｕｎｎｅｌ  ｉｎｆｏｒｍａｔｉｏｎ  ｆｏｒ  ｄｏｗｎｌｉｎｋ  ｄａｔａ  ｒｅｃｅｐｔｉｏｎ）が前記経路変更要請メッセージに含まれてもよい。前記経路変更要請メッセージは、前記ターゲットセルで支援されるＣＳＧ  ＩＤ及び接続モードに対する情報を更に含んでもよい。
【００７３】
ステップ６２３において、前記ＭＭＥ６４０は前記ターゲット基地局６３０に経路変更応答（ｐａｔｈ  ｓｗｉｔｃｈｉｎｇ  ｒｅｓｐｏｎｓｅ）メッセージを送信する。ここで、前記ＭＭＥ６４０によって前記ＵＥ６１０に割り当てられたＳ１シグナリングコンテキストの指示子、ダウンリンクデータに対するトンネル情報（ｔｕｎｎｅｌ  ｉｎｆｏｒｍａｔｉｏｎ  ｆｏｒ  ｄｏｗｎｌｉｎｋ  ｄａｔａ  ）のうち少なくとも一つが前記経路変更応答メッセージに含まれてもよい。また、必要に応じて暗号化情報も前記経路変更応答メッセージに更に含まれてもよい。前記ＵＥ６１０のグループメンバー状態指示子、即ち、前記ＵＥ６１０が前記ターゲットセルのグループメンバーであるのか否かを示す指示子が前記経路変更応答メッセージに含まれてもよい。即ち、ステップ６２３において、前記グループメンバー状態指示子は「グループメンバーである」及び「グループメンバーではない」のうち一つとして設定されるか、又は指示子は「グループメンバーである」とのみ設定され得る。いかなる値にも設定されないと、前記ＵＥ６１０はグループメンバーではないと扱われる。このように、前記ターゲット基地局６３０は前記ＵＥ６１０のグループメンバー状態指示子に従って前記ＵＥ６１０に対するスケジューリングを行う。
【００７４】
前記ステップ６２３において、グループ状態指示子を設定することは前記ターゲットセルが複合セルである場合に行われ得る。なぜならば、前記複合セルは前記ＵＥ６１０の接続を許可するが、スケジューリングにおいて前記ＵＥ６１０は２つ、即ち、グループメンバーである場合又はグループメンバーではない場合によってスケジューリングされるためである。前記ターゲットセルが複合セルではない場合、例えば、閉鎖セルである場合、前記経路変更応答メッセージは前記図４に示した前記ステップ４１５と類似するように、前記ＵＥ６１０の前記グループメンバー状態指示子を含まなくてもよい。
【００７５】
ステップ６２５において、前記ターゲット基地局６３０は前記ソース基地局６２０にＵＥコンテキスト解除（ＵＥ  ｃｏｎｔｅｘｔ  ｒｅｌｅａｓｅ）メッセージを送信することで、前記ソース基地局６２０に前記ＵＥ６１０のコンテキストが解除され得ることを指示する。
【００７６】
前記図６を参照して説明したように、Ｘ２ハンドオーバ手順が行われ得る。
【００７７】
前記図５に示したようにソース基地局はＭＭＥのＣＳＧ接続制御をトリガー（ｔｒｉｇｇｅｒ）し、図６に示したようにターゲット基地局はＭＭＥのＣＳＧ接続制御をトリガー（ｔｒｉｇｇｅｒ）し得る。本発明の実施形態によって、前記ソース基地局及び前記ターゲット基地局それぞれがＭＭＥのＣＳＧ接続制御をトリガー（ｔｒｉｇｇｅｒ）し得る。即ち、以下の図７により詳しく示したように、前記ソース基地局が前記ＭＭＥがＣＳＧセルの接続制御を行うようにトリガーし、前記ターゲット基地局が前記ＭＭＥが複合セルの接続制御を行うようにトリガーし得る。
【００７８】
図７は、本発明の実施形態によるソースセルに接続したＵＥがターゲットセルにスイッチングするための手順を示す図である。本発明の実施形態は、前記図３のような構造のシステムに適用され得る。ここで、Ｘ２インターフェースは前記図２に示したようにソース基地局７２０及びターゲット基地局７３０の間に設定される。詳しくは、前記ソース基地局７２０及び前記ターゲット基地局７３０はホーム基地局を含んでもよく、ＣＳＧ機能を支援するマクロ基地局を含んでもよい。
【００７９】
前記図７を参照すると、ステップ７０１において、ＵＥ７１０はソースセルが位置したソース基地局７２０に測定報告（ｍｅａｓｕｒｅｍｅｎｔ  ｒｅｐｏｒｔ）メッセージを送信する。ここで、前記ＵＥ７２０は前記ソースセルの構成によって前記測定報告メッセージを送信する。例えば、前記ソースセルの構成に前記ＵＥ７２０が前記測定報告メッセージを周期的に送信するように定義された場合、前記ＵＥ７２０は定義された時間間隔に前記測定報告メッセージを送信する。または、前記ソースセルの構成に特定イベントが発生した際前記測定報告メッセージを送信するように定義された場合、前記ＵＥ７２０は前記イベントが発生した際前記測定報告メッセージを送信する。ここで、前記ターゲットセルに対応される物理階層識別情報（ｐｈｙｓｉｃａｌ  ｌａｙｅｒ  ｉｄｅｎｔｉｆｉｅｒ）が前記測定報告メッセージに含まれてもよい。それによって、前記ソース基地局７２０は前記ＵＥ７１０がスイッチングするセルが前記ターゲットセルであることを認知する。前記ソースセル及び前記ターゲットセル全てはＣＳＧ機能を支援するセルであってもよい。それによって、前記ＣＳＧ  ＩＤ及び前記ＵＥ７１０のグループメンバー状態指示子が前記測定報告に更に含まれてもよい。詳しくは、前記グループメンバー状態指示子がメンバーとして設定されると、それは前記ＵＥ７１０が前記複合セルに属した使用者メンバーであることを指示する。
【００８０】
ステップ７０３において、前記ソース基地局７２０は前記ＵＥ７１０の前記ターゲットセルへのハンドオーバを許可し得るのか否かを判断する。前記ハンドオーバが許可されると、ステップ７０５で前記ソース基地局７２０はターゲットセル及びソースセルが同じＣＳＧを支援しないことを判断する。一方、前記ソース基地局７２０が前記ＵＥ７１０の前記ターゲットセルへのハンドオーバを拒否すると、本手順は終了される。前記ソース基地局７２０は前記ステップ７０３の測定報告及び無線資源管理のためのアルゴリズムによって判断し得る。言い換えると、前記ソース基地局７２０は前記無線資源管理のためのアルゴリズムによって定義されるハンドオーバ条件を前記ターゲットセルの信号が満足するのか否かを判断する。前記ターゲットセルの信号がハンドオーバ条件を満足すると、前記ソース基地局７２０は前記使用者のターゲットセルへのハンドオーバを決定する。前記ソース基地局７２０の前記ソースセル及びターゲット基地局７３０のターゲットセルは全てＣＳＧ機能を支援し、同じＣＳＧに対応する。また、前記ソース基地局７２０及び前記ターゲット基地局７３０間のＸ２インターフェースが前記図２に示した手順によって設定された場合、前記ソース基地局７２０は前記ターゲット基地局７３０のセルで支援するＣＳＧに対する情報、例えば、前記ＣＳＧの接続モード情報を獲得し得る。また、前記接続モードが閉鎖モード又は混合モードである場合、前記ＣＳＧに対する情報は前記ターゲット基地局７３０のセルで支援するＣＳＧ  ＩＤを更に含んでもよい。このように、前記ターゲットセルの信号が前記無線資源管理のためのアルゴリズムによって定義されるハンドオーバ条件を満足する場合、前記ソース基地局７２０はＣＳＧ検出機能を行い得る。例えば、前記ソース基地局７２０は前記ターゲットセルで支援するＣＳＧ  ＩＤが前記測定報告を介して前記ＵＥ７１０によって報告されたことと一致するのかを判断する。前記ＣＳＧ  ＩＤが一致すると、前記ソース基地局７２０は前記ＵＥ７１０の前記ターゲットセルへのハンドオーバを許可する。一致しないと、前記ターゲットセルがＣＳＧセルである場合、前記ソース基地局７２０は前記ＵＥ７１０の前記ターゲットセルへのハンドオーバを拒否する。
【００８１】
ステップ７０５において、ソース基地局７２０はターゲットセル及びソースセルが同じＣＳＧを支援しないことを判断する。前記ターゲットセルがＣＳＧセルである場合、前記ソース基地局７２０はＭＭＥ７４０に接続要請（ａｃｃｅｓｓ  ｒｅｑｕｅｓｔ）メッセージを送信する。ここで、前記ターゲットセルで支援するＣＳＧ  ＩＤ，前記ＵＥ７１０の識別情報が前記接続要請メッセージに含まれてもよい。
【００８２】
もし、前記ターゲットセルの接続モードが複合モードである場合、いかなる使用者であっても前記複合セルに接続し得る。この場合、前記ステップ７０５で前記ソース基地局７２０によってターゲットセル及びソースセルが同じＣＳＧを支援しないことを判断し、前記ＭＭＥ７４０に接続制御を送信すること、及び以下のステップ７０７で前記ターゲットセルで支援するＣＳＧ  ＩＤ及び前記ＵＥ７１０の加入情報に従って前記ＵＥ７１０の接続を制御することは省略されてもよく、以下のステップ７０９で前記ターゲット基地局７３０にハンドオーバ要請メッセージを送信する以下のステップ７０９がすぐに行われ得る。
【００８３】
ステップ７０７において、前記ＭＭＥ７４０はターゲットセルで支援するＣＳＧ  ＩＤ、前記ＵＥ７１０の加入情報などに従って前記ＵＥ７１０の接続を制御し、前記ソース基地局７２０に接続応答（ａｃｃｅｓｓ  ｒｅｓｐｏｎｓｅ）メッセージを送信する。ここで、前記接続応答メッセージは前記ＵＥ７１０が接続を許可されたのか否かを示す指示子を含んでもよい。他の実施形態として、前記ＵＥ７１０が接続を許可された場合、前記ターゲットセルへの接続が許可されることを指示する成功接続応答（ｓｕｃｃｅｓｓ  ａｃｃｅｓｓ  ｒｅｓｐｏｎｓｅ）が送信されることができ、前記ＵＥ７１０が接続を許可されなかった場合、前記ターゲットセルへの接続を不許することを指示する失敗接続応答（ｆａｉｌｕｒｅ  ａｃｃｅｓｓ  ｒｅｓｐｏｎｓｅ）が送信され得る。
【００８４】
ステップ７０９において、前記ソース基地局７２０は前記接続応答メッセージに含まれた前記ＵＥ７１０が接続を許可されたのか否かを示す指示子によって前記ＵＥ７１０が前記ターゲットセルへのスイッチングを許可されたのかを判断する。前記ＵＥ７１０が前記ターゲットセルにスイッチングすることが許可された場合、前記ソース基地局７２０は前記ターゲット基地局５３０にハンドオーバ要請（ｈａｎｄｏｖｅｒ  ｒｅｑｕｅｓｔ）メッセージを送信する。一方、前記ＵＥ５１０が前記ターゲットセルにスイッチングすることが許可されなかった場合、前記ソース基地局７２０は前記使用者の接続を拒否し、本手順は終了される。ここで、前記ターゲットセルが複合セルであれば、いかなる使用者であっても前記ターゲットに接続し得る。即ち、前記ステップ７０９において、前記ソース基地局７２０はスイッチングを許可されたのか否かを判断せずすぐに前記ターゲット基地局７３０にハンドオーバ要請メッセージを送信する。ここで、前記ソース基地局７２０によって前記ＵＥ７１０に割り当てられたＸ２シグナリングコンテキストの指示子、前記コア網の指示子、前記コア網によって前記ＵＥ７１０に割り当てられたＳ１シグナリングコンテキストの指示子、前記ターゲットセルの指示子、前記ＵＥ７１０の暗号化能力及び暗号化情報、ＲＲＣコンテキスト情報、Ｅ−ＲＡＢ情報のうち少なくとも一つが前記ハンドオーバ要請メッセージに含まれてもよい。
【００８５】
ステップ７１１において、前記ＵＥ７１０が前記ターゲットセルへの接続を許可されると、前記ターゲット基地局７３０は前記ステップ７０９における前記ハンドオーバ要請メッセージに含まれたＥ−ＲＡＢ  ＱｏＳ情報に従って資源の接続制御を行う。そして、前記ターゲット基地局７３０は前記ソース基地局７２０に前記ハンドオーバ要請応答メッセージを送信する。ここで、前記ステップ７１１の接続制御は前記ターゲット基地局７３０の物理資源が前記Ｅ−ＲＡＢ  ＱｏＳを満足するのか否か、前記Ｅ−ＲＡＢに十分な資源が割り当てられ得るのか否かに基づいて行われるが、これは前記ターゲット基地局７３０の本機能である。詳しくは、前記ハンドオーバ要請応答メッセージは前記ターゲット基地局７３０によって前記ＵＥ７１０に割り当てられたＸ２シグナリングコンテキストの指示子、前記ＵＥ７１０に送信されるＲＲＣメッセージのうち一つを含んでもよい。または、必要に応じて前記ハンドオーバ要請応答メッセージはデータ伝達のためのＧＴＰ情報を更に含んでもよい。
【００８６】
ステップ７１３において、前記ソース基地局７２０は前記ＵＥ７１０にＲＲＣ再構成要請（ＲＲＣ  ｒｅｃｏｎｆｉｇｕｒａｔｉｏｎ  ｒｅｑｕｅｓｔ）メッセージを送信する。ここで、前記ＲＲＣ再構成要請メッセージは、前記ステップ７１１において前記ターゲット基地局７３０によって前記ソース基地局７２０に送信される「前記ＵＥ７１０に送信されるＲＲＣメッセージ」を含んでもよい。前記「前記ＵＥ７１０に送信されるＲＲＣメッセージ」は前記ターゲット基地局７３０によって前記ソース基地局７２０に送信され、前記ソース基地局７２０によって前記ＵＥ７１０に送信される。詳しくは、前記ＵＥ７１０に送信されるＲＲＣメッセージは前記ターゲットセルによって前記ＵＥ７１０に割り当てられたＣ−ＲＮＴＩ、前記ターゲット基地局７３０の暗号化情報のうち少なくとも一つを含んでもよく、割り当てられたランダムアクセスチャネル（ｒａｎｄｏｍ  ａｃｃｅｓｓ  ｃｈａｎｎｅｌ）に対する情報を更に含んでもよい。
【００８７】
ステップ７１５において、前記ＵＥ７１０は前記ターゲットセルに同期化し、ステップ７１７において、前記同期化が完了した後前記ターゲット基地局７３０にＲＲＣ再構成完了（ＲＲＣ  ｒｅｃｏｎｆｉｇｕｒａｔｉｏｎ  ｃｏｍｐｌｅｔｉｏｎ）メッセージを送信する。
【００８８】
ステップ７１９において、前記ターゲット基地局７３０は前記ＭＭＥ７４０に経路変更要請（ｐａｔｈ  ｓｗｉｔｃｈｉｎｇ  ｒｅｑｕｅｓｔ）メッセージを送信することで、前記ＵＥ７１０が新たなセル、例えば、ターゲットセルにスイッチングされたことを通知する。ここで、前記ターゲット基地局７３０によって前記ＵＥ７１０に割り当てられたＳ１シグナリングコンテキストの指示子及びダウンリンクデータ受信に対するトンネル情報（ｔｕｎｎｅｌ  ｉｎｆｏｒｍａｔｉｏｎ  ｆｏｒ  ｄｏｗｎｌｉｎｋ  ｄａｔａ  ｒｅｃｅｐｔｉｏｎ）が前記経路変更要請メッセージに含まれてもよい。前記経路変更要請メッセージは、前記ターゲットセルで支援するＣＳＧ  ＩＤ及び接続モードに対する情報を更に含んでもよい。
【００８９】
ステップ７２１において、前記ＭＭＥ７４０は前記ターゲット基地局７３０に経路変更応答（ｐａｔｈ  ｓｗｉｔｃｈｉｎｇ  ｒｅｓｐｏｎｓｅ）メッセージを送信する。ここで、前記ＭＭＥ７４０によって前記ＵＥ７１０に割り当てられたＳ１シグナリングコンテキストの指示子、ダウンリンクデータに対するトンネル情報（ｔｕｎｎｅｌ  ｉｎｆｏｒｍａｔｉｏｎ  ｆｏｒ  ｄｏｗｎｌｉｎｋ  ｄａｔａ）のうち少なくとも一つが前記経路変更応答メッセージに含まれてもよい。また、必要に応じて暗号化情報も前記経路変更応答メッセージに更に含まれてもよい。前記ＵＥ７１０のグループメンバー状態指示子、即ち、前記ＵＥ７１０が前記ターゲットセルのグループメンバーであるのか否かを示す情報が前記経路変更応答メッセージに含まれてもよい。即ち、前記グループメンバー状態指示子は「グループメンバーである」及び「グループメンバーではない」のうち一つとして設定されるか、又は指示子は「グループメンバーである」とのみ設定され得る。いかなる値にも設定されないと、前記ＵＥ７１０はグループメンバーではないと扱われる。このように、前記ターゲット基地局７３０は前記ＵＥ７１０のグループメンバー状態指示子に従って前記ＵＥ７１０に対するスケジューリングを行う。
【００９０】
ステップ７２１において、前記ＭＭＥ７４０によって前記ターゲット基地局７２０に経路スイッチング要請メッセージを送信することは、前記ターゲットセルが複合セルである場合行われ得る。なぜならば、前記複合セルは前記ＵＥ７１０の接続を許可するが、スケジューリングにおいて前記ＵＥ７１０は２つ、即ち、グループメンバーである場合又はグループメンバーではない場合によってスケジューリングされるためである。前記ターゲットセルが複合セルではない場合、例えば、閉鎖セルである場合、前記経路変更応答メッセージは前記図４に示した前記ステップ４１５と類似するように、前記ＵＥ７１０の前記グループメンバー状態指示子を含まなくてもよい。
【００９１】
ステップ７２３において、前記ターゲット基地局７３０は前記ソース基地局７２０にＵＥコンテキスト解除（ＵＥ  ｃｏｎｔｅｘｔ  ｒｅｌｅａｓｅ）メッセージを送信することで、前記ソース基地局７２０に前記ＵＥ７１０のコンテキストが解除され得ることを指示する。
【００９２】
図８は、本発明の実施形態による移動通信システムにおける基地局のブロック構成を示す図である。
【００９３】
前記図８に示したように、前記基地局はＲＦ（Ｒａｄｉｏ  Ｆｒｅｑｕｅｎｃｙ）処理部８１０、モデム８２０、バックホール通信部８３０、貯蔵部８４０、制御部８５０を含んで構成される。
【００９４】
前記ＲＦ処理部８１０は、信号の帯域変換、増幅など無線チャネルを介して信号を送受信するための機能を行う。即ち、前記ＲＦ処理部８１０は、前記モデム８２０から提供される基底帯域信号をＲＦ帯域信号にアップ変換した後アンテナを介して送信し、前記アンテナを介して受信されるＲＦ帯域信号を基底帯域信号にダウン変換する。例えば、図示されていないが、前記ＲＦ処理部８１０は増幅器、ミキサー（Ｍｉｘｅｒ），オシレータ（ｏｓｃｉｌｌａｔｏｒ）、ＤＡＣ（Ｄｉｇｉｔａｌ  ｔｏ  Ａｎａｌｏｇ  Ｃｏｎｖｅｒｔｏｒ）、ＡＤＣ（Ａｎａｌｏｇ  ｔｏ  Ｄｉｇｉｔａｌ  Ｃｏｎｖｅｒｔｏｒ）などを含んでもよい。
【００９５】
前記モデム８２０は、システムの物理階層規格によって基底帯域信号及びビット列間の変換機能を行う。例えば、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）方式による場合、データを送信する際、前記モデム８２０は送信ビット列を符号化及び変調することで複素シンボルを生成し、前記複素シンボルを副搬送波にマッピングした後、ＩＦＦＴ演算及びＣＰ挿入を介してＯＦＤＭシンボルを構成する。また、データを受信する際、前記モデム８２０は前記ＲＦ処理部８１０から提供される基底帯域信号をＯＦＤＭシンボル単位に分割し、ＦＦＴ演算を介して副搬送波にマッピングされた信号を復元した後、復調及び復号化を介して受信ビット列を復元する。
【００９６】
前記バックホール通信部８３０は、前記基地局が他のノード（例：他の基地局、ＭＭＥなど）と通信を行うためのインターフェースを提供する。即ち、前記バックホール通信部８３０は、前記基地局から前記他のノードに送信されるビット列を物理的信号に変換し、前記他のノードから受信される物理的信号をビット列に変換する。前記貯蔵部８４０は前記基地局の動作のための基本プログラム、システム情報などのデータを貯蔵する。そして、前記貯蔵部８４０は前記制御部８１０の要請に応じて貯蔵されたデータを提供する。
【００９７】
前記制御機８５０は、前記基地局の全般的機能を制御する。例えば、前記制御部８５０は送信トラフィックパケット及びメッセージを生成して前記モデム４２０に提供し、前記モデム４２０から提供される受信トラフィックパケット及びメッセージを解釈する。また、前記制御部８５０は上位ノードとのシグナリングのためのメッセージを生成及び解釈する。特に、本発明の実施形態によって、前記制御部８５０は他の基地局とＸ２インターフェースを設定する手順を制御し、前記基地局から他の基地局へのＵＥのハンドオーバ及び他の基地局から前記基地局へのＵＥのハンドオーバを処理する。例えば、前記制御部８５０は前記基地局が前記図２に示したようにＸ２インターフェースを設定するように制御する。例えば、前記制御部８５０は前記基地局が前記図４乃至前記図７に示したようにＵＥのハンドオーバを処理するように制御する。
【００９８】
例えば、前記バックホール通信部８３０は、前記基地局のセルで支援するＣＳＧの接続モード情報を含むＸ２インターフェース設定要請メッセージを他の基地局に送信し、前記他の基地局のセルで支援するＣＳＧの接続モード情報を含むＸ２インターフェース応答メッセージを受信し、前記貯蔵部８４０は前記他の基地局のセルで支援するＣＳＧの接続モード情報を貯蔵する。
【００９９】
例えば、前記制御部８５０はターゲット基地局の接続モード情報によってＵＥのハンドオーバに対する許可可否を判断し、前記バックホール通信部８３０は前記ＵＥのグループメンバー状態指示子を含むハンドオーバ要請メッセージを前記ターゲット基地局に送信し、前記ターゲットからハンドオーバ応答メッセージを受信する。
【０１００】
例えば、前記バックホール通信部８３０はソース基地局からＵＥが報告したターゲットセルで支援されるＣＳＧ  ＩＤを含むハンドオーバ要請メッセージを受信し、前記制御部８５０はターゲット基地局のセルで支援されるＣＳＧ  ＩＤ及び前記ハンドオーバ要請メッセージによって伝達されたＣＳＧ  ＩＤを比較し、前記バックホール通信部８３０は、２つのＣＳＧ  ＩＤが同じであると前記接続要請メッセージをＭＭＥに送信し、前記２つのＣＳＧ  ＩＤが同じではないとハンドオーバ失敗メッセージを前記ソース基地局に送信する。
【０１０１】
図９は、本発明の実施形態による移動通信システムにおけるＭＭＥのブロック構成を示す図である。
【０１０２】
前記図９に示すように、前記ＭＭＥは、通信部９１０、貯蔵部９２０、制御部９３０を含んで構成される。
【０１０３】
前記通信部９１０は網内に他の客体（例：基地局）と通信を行うためのインターフェースを提供する。前記貯蔵部９２０は前記ＭＭＥが動作するための基本プログラム、システム設定情報などを貯蔵する。
【０１０４】
前記制御部９３０は、前記ＭＭＥの全般的機能を制御する。例えば、前記制御部９３０は、前記ＭＭＥに連結された基地局の制御シグナリングを制御する。特に、本発明の実施形態によって、前記制御部９３０に含まれたハンドオーバ処理部９３２は、前記ＭＭＥに連結された基地局間のＵＥのハンドオーバ手順を処理する。例えば、前記制御部９３０は前記ＭＭＥが前記図４乃至前記図７に示したようにＵＥのハンドオーバを処理するように制御する。
【０１０５】
本発明の実施形態による移動通信システムにおいて、基地局は他の基地局とＸ２インターフェースを設定する過程において、相手セルで支援されるＣＳＧ  ＩＤ及び接続モードを知ることができる。それによって、ＵＥの接続に対する制御が容易に行われ得る。
【０１０６】
なお、本発明の実施形態によって、ＵＥがターゲット基地局に既にスイッチングした後、前記ターゲット基地局はＭＭＥに前記ＵＥが前記ターゲット基地局に接続し得るか否かに対する判断を要請しなくてもよい。このように、連結の解除によって発生する問題点又は接続が不可能な際、接続網によるソース基地局からターゲット基地局へのＵＥのハンドオーバが防止され、使用者によるデータの受信が正常的に行われ得る。
【０１０７】
一方、本発明の詳細な説明では具体的な実施形態に関して説明したが、本発明の範囲を逸脱しない範囲内で多様な変形が可能であることはもちろんである。従って、本発明の範囲は説明された実施形態に限って決められてはならず、後述する特許請求の範囲だけでなくその特許請求の範囲と均等なものによって決められるべきである。
【符号の説明】
【０１０８】
１１０，３１０  Ｅ−ＵＴＲＡＮ
１２０，３２０  マクロ基地局
１３０，３３０  ホーム基地局
１４０，３４０  ホーム基地局ＧＷ
１５０，３５０  移動性管理エンティティ/サービングゲートウェイ
２１０，２２０  基地局
４１０，５１０，６１０，７１０  使用者装置
４２０，５２０，６２０，７２０  ソース基地局
４３０，５３０，６３０，７３０  ターゲット基地局
４４０，５４０，６４０，７４０  移動性管理エンティティ
８１０  ＲＦ処理部
８２０  モデム
８３０  バックホール通信部
８４０  貯蔵部
８５０  制御部
９１０  通信部
９２０  貯蔵部
９３０  制御部
９３２  ハンドオーバ処理部
【図１】
2013526207.tif 000003
【図２】
2013526207.tif 000004
【図３】
2013526207.tif 000005
【図４】
2013526207.tif 000006
【図５】
2013526207.tif 000007
【図６】
2013526207.tif 000008
【図７】
2013526207.tif 000009
【図８】
2013526207.tif 000010
【図９】
2013526207.tif 000011
【国際調査報告】
2013526207.tif 000012
2013526207.tif 000013